(57)【要約】【課題】  排水管系統のほとんどに汎用の管材を用いることができ、高さ寸法も低く抑えることができる免震住宅用管継手を提供する。【解決手段】  免震装置を備えた建物の排水管と、基礎に配設された排水主管とを接続する免震住宅用管継手であって、排水主管に接続される排水主管接続用短管部１２及びこの上端外周に周設した基礎側プレート部１３を有する排水主管接続側部材１４と、排水主管接続用短管部１２に対峙する排水管接続用短管部１６及びこの下端外周から水平方向に周設した建物側伸縮プレート部１６を有する排水管接続側部材１７とを備えている。排水主管接続側部材１４は排水主管と同材質の硬質材料で形成するとともに排水管接続側部材１７を伸縮可能なゴムで形成し、両部材をプレート部の外周部分で一体化する。【選択図】  図１
2006188890.tif 000002
【特許請求の範囲】
【請求項１】
基礎上に免震装置を介して支持された建物に設置されている水回り設備に接続された排水管と、基礎に配設された排水主管とを接続するための免震住宅用管継手において、該管継手の排水主管接続側部材は、鉛直方向に設置される排水主管接続用短管部と該排水主管接続用短管部の上端外周から水平方向に周設した基礎側プレート部とを有し、該管継手の排水管接続側部材は、下端に前記排水主管接続用短管部の上端開口部に対峙する下端開口部を有し、上部に前記排水管を接続するための受口を有する排水管接続用短管部と、該排水管接続用短管部と前記基礎側プレート部の外周縁との間に設けられた伸縮可能な蛇腹部を有する建物側伸縮プレート部とを有し、前記排水主管接続側部材を前記排水主管と同材質の硬質材料で形成するとともに、前記排水管接続側部材を伸縮可能なゴムで形成して両部材を一体化したことを特徴とする免震住宅用管継手。
【請求項２】
前記排水管接続用短管部に、前記排水管を水平方向から接続するためのエルボが装着されていることを特徴とする請求項１記載の免震住宅用管継手。
【請求項３】
前記エルボの排水管接続側に、排水管を接続するゴム製接続管が装着されていることを特徴とする請求項２記載の免震住宅用管継手。
【請求項４】
前記排水主管接続用短管部の上端開口部周囲上面部分に内周側が下方に傾斜した円錐面からなるガイド面を設けるとともに、前記排水管接続用短管部に装着した前記エルボの下端部を前記建物側伸縮プレート部の下面よりも突出させて前記ガイド面に当接させたことを特徴とする請求項２又は３記載の免震住宅用管継手。
【発明の詳細な説明】
【技術分野】
【０００１】
本発明は、免震住宅用管継手に関し、詳しくは、耐震構造を備えた戸建住宅に設けられる排水管の接続に使用する免震住宅用管継手に関する。
【背景技術】
【０００２】
近年の戸建住宅では、基礎との間に耐震装置を介在させた免震住宅が注目されており、これに伴って排水管の系統にも免震構造が必要となる。この免震構造を有する配管構造として、平面方向の変位を吸収可能な排水可撓管を略Ｕ字状に配管したものや（例えば、特許文献１参照。）、建物側排水管の下端部と、基礎側排水管の上端部に設けた上向きに拡開した漏斗状部とを近接させた位置で対向配置するとともに、建物側排水管の下端部と漏斗状部の開口端とを蛇腹等の伸縮自在な蓋部で覆ったもの（例えば、特許文献２参照。）などが提案されている。
【特許文献１】特開２００３−３１３９０８号公報
【特許文献２】特開２００３−３５４０号公報
【発明の開示】
【発明が解決しようとする課題】
【０００３】
しかし、特許文献１記載の配管構造では、多数の排水可撓管を必要とするだけでなく、これを略Ｕ字状に配置するため、配管全長が長くなって大幅なコストアップになるだけでなく、排水性能も損なわれてしまうという問題がある。また、特許文献２記載の配管構造では、建物側排水管と基礎側排水管とを鉛直方向に配設するため、床下の高さに余裕が必要であり、設置できる建物が限られてしまうという問題があった。
【０００４】
そこで本発明は、排水管系統のほとんどに汎用の管材を用いることができ、高さ寸法も低く抑えることができる免震住宅用管継手を提供することを目的としている。
【課題を解決するための手段】
【０００５】
上記目的を達成するため、本発明の免震住宅用管継手は、基礎上に免震装置を介して支持された建物に設置されている水回り設備に接続された排水管と、基礎に配設された排水主管とを接続するための免震住宅用管継手において、該管継手の排水主管接続側部材は、鉛直方向に設置される排水主管接続用短管部と該排水主管接続用短管部の上端外周から水平方向に周設した基礎側プレート部とを有し、該管継手の排水管接続側部材は、下端に前記排水主管接続用短管部の上端開口部に対峙する下端開口部を有し、上部に前記排水管を接続するための受口を有する排水管接続用短管部と、該排水管接続用短管部と前記基礎側プレート部の外周縁との間に設けられた伸縮可能な蛇腹部を有する建物側伸縮プレート部とを有し、前記排水主管接続側部材を前記排水主管と同材質の硬質材料で形成するとともに、前記排水管接続側部材を伸縮可能なゴムで形成して両部材を一体化したことを特徴としている。
【０００６】
さらに、本発明の免震住宅用管継手は、前記排水管接続用短管部に前記排水管を水平方向から接続するためのエルボが装着されていること、該エルボの排水管接続側に排水管を接続するゴム製接続管が装着されていることを特徴としている。また、前記排水主管接続用短管部の上端開口部周囲上面部分に内周側が下方に傾斜した円錐面からなるガイド面を設けるとともに、前記排水管接続用短管部に装着した前記エルボの下端部を前記建物側伸縮プレート部の下面よりも突出させて前記ガイド面に当接させたことを特徴としている。
【発明の効果】
【０００７】
本発明の免震住宅用管継手によれば、地震の際に免震装置上の建物が基礎に対して水平方向に移動したときに、建物側伸縮プレート部が伸縮変形することにより、基礎側プレート部に対して建物側伸縮プレート部が建物と一緒に水平方向に移動することができるので、建物側に設けられた排水管に作用する引っ張り応力や曲げ応力を小さくすることができる。したがって、排水管に汎用の管材を用いてもこれらが破損することはない。
【０００８】
また、排水主管接続用短管部を排水主管と同材質で形成することにより、排水主管との接続を容易に行うことができる。さらに、排水管接続用短管部にエルボを装着し、このエルボを介して排水管を水平方向に接続することにより、継手部全体の高さを低くすることができるので、床下高さが低くても排水管を施工することが可能であり、配管長も短くできるので排水性能が損なわれることもない。さらに、ゴム製接続管を介して排水管を接続することにより、衝撃を吸収でき、上下方向の変位を吸収することもできる。また、排水主管接続用短管部と排水主管との接続、排水管接続用短管部とエルボや排水管との接続、エルボと排水管やゴム製接続管との接続、ゴム製接続管と排水管との接続等には、通常の接着やバンド等を使用した一般的な接続構造を採用できるので、継手以外は汎用品を使用でき、施工コストを低く抑えることができる。
【発明を実施するための最良の形態】
【０００９】
図は本発明の免震住宅用管継手の一形態例を示すもので、図１は断面正面図、図２は平面図、図３は施工状態の一例を示す断面正面図、図４は基礎に対して建物が水平方向に変位したときの継手の状態を示す断面正面図である。なお、建物や免震装置は、各種形状及び構造の周知のものを適用することができるので、これらの詳細な説明は省略する。
【００１０】
本形態例に示す免震住宅用管継手１１は、鉛直方向に設置される排水主管接続用短管部１２及び該排水主管接続用短管部１２の上端外周から水平方向に周設した基礎側プレート部１３を有する排水主管接続側部材１４と、下端に前記排水主管接続用短管部１２の上端開口部に対峙する下端開口部を有する排水管接続用短管部１５及び該排水管接続用短管部１５の外周と前記基礎側プレート部１３の外周縁との間に設けられた建物側伸縮プレート部１６を有する排水管接続側部材１７とで形成されている。
【００１１】
前記排水主管接続側部材１４は、基礎に配設される排水主管と同材質、例えば、排水主管が塩化ビニル樹脂製の場合は、塩化ビニル樹脂により形成されており、排水管接続側部材１７は、弾性変形可能なゴムにより形成されている。両部材１４，１７は、あらかじめ所定形状に形成された後、基礎側プレート部１３の周縁から上方に突設した嵌合片１３ａの外周に、建物側伸縮プレート部１６の周縁から下向きに突設した嵌合片１６ａを嵌合させ、該嵌合片１６ａの外周をバンド１８で締め付けることによって接合一体化される。これにより、両プレート１３，１７の外周縁が水密状態に閉塞されるとともに、配管内の臭気が外部に漏洩することも防止される。
【００１２】
前記建物側伸縮プレート部１６は、複数の波形の屈曲を同心円状に形成した蛇腹形状に形成されており、この蛇腹形状によって水平方向の任意の方向に弾性変形可能な状態となっている。また、前記排水管接続用短管部１５には、受口１９ａを水平方向に向けたエルボ（片受けエルボ）１９の差口が挿入され、外周に装着したバンド２０によって締付固定されている。さらに、エルボ１９には、継手管２１を介してゴム製接続管２２が接続され、バンド２３により締付固定されており、建物側の排水管を、ゴム製接続管２２、継手管２１及びエルボ１９を介して排水管接続側部材１７に接続するようにしている。
【００１３】
さらに、前記排水主管接続用短管部１２の上端開口部周囲上面部分には、内周側が下方に傾斜した円錐面からなるガイド面２４が設けられるとともに、前記排水管接続用短管部１５に装着したエルボ１９の下端部１９ｂを建物側伸縮プレート部１６の下面より突出させ、該下端部先端をガイド面２４に当接させることにより、エルボ１９と排水主管接続用短管部１２とが鉛直方向に直線状に連続した連通状態にガイドできるようにしている。
【００１４】
このように形成した免震住宅用管継手１１は、図３に示すように、排水主管接続側部材１４の排水主管接続用短管部１２が基礎２５に設置された排水主管２６の上端に挿入されて接着接合により接続され、建物のキッチンや洗面所等の水回り設備に接続された排水管２７の下流端が前記ゴム製接続管２２の受口に挿入されるとともにバンド２８で締付固定されることより接続される。
【００１５】
この管継手１１の施工は、排水主管接続用短管部１２を排水主管２２と同じ塩化ビニル樹脂で形成しておくことにより、両者を接着接合によって容易に接続することができる。また、排水管接続用短管部１５とエルボ１９、ゴム製接続管２２と継手管２１及び排水管２７の各接続はバンドで締め付けることによって容易に接続することができ、エルボ１９と継手管２１とは接着により容易に接続することができる。さらに、エルボ１９の受口１９ａを水回り設備の方向に向けて管継手１１を設置することにより、免震住宅用管継手１１に接続する排水管２７の長さを最短にすることができる。しかも、排水管２７を水平方向に設置できるので、床下の高さが低いときでも排水管２７と管継手１１とを容易に接続することができる。
【００１６】
地震による大きな揺れが発生した場合、免震装置の作動によって建物と基礎２５とが相対的に水平方向に変位すると、排水管２７や排水管接続側部材１７は建物と一緒に、排水主管接続側部材１４は基礎２５と一緒にそれぞれ移動しようとする。このとき、図４に示すように、建物側伸縮プレート部１６の蛇腹形状部が排水管接続側部材１７と排水主管接続側部材１４の変位方向及び変位量に応じて弾性変形するので、排水主管接続用短管部１２が基礎２５と、排水管接続用短管部１５及びこれに接続されたエルボ１９や継手管２１等が建物と、それぞれ一緒に移動することになり、排水管２７や継手部分に作用する引っ張り応力や曲げ応力が緩和され、これらが破損することを防止する。さらに、ゴム製接続管２２を介在させておくことにより、上下方向の変位も吸収することができる。
【００１７】
地震の揺れが収まり、建物が免震装置の復元力で元の位置に戻ると、図４に示すように、建物側伸縮プレート部１６の蛇腹形状部が、その弾性復元力によって元の形状に復元することにより、排水管接続用短管部１５が排水主管接続用短管部１２の上方に戻り、さらに、前記ガイド面２４の作用によってエルボ１９と排水主管接続用短管部１２とが確実に鉛直方向に直線状に連続した連通状態になるので、排水管２７からの排水性が地震後も確保される。
【００１８】
なお、建物側伸縮プレート部１６における蛇腹形状部分は、地震の揺れで水平方向に弾性変形することができれば、適宜な形状で形成することが可能であるが、各方向への変位に確実に対応するためには、前記形態例に示したような同心円状の屈曲形状が最適である。また、エルボ１９や継手管２１、ゴム製接続管２２は必要に応じて設ければよく、排水管接続用短管部１５に排水管２７を直接接続することも可能である。
【図面の簡単な説明】
【００１９】
【図１】本発明の免震住宅用管継手の一形態例を示す断面正面図である。
【図２】同じく平面図である。
【図３】施工状態の一例を示す断面正面図である。
【図４】基礎に対して建物が水平方向に変位したときの状態を示す断面正面図である。
【符号の説明】
【００２０】
１１…免震住宅用管継手、１２…排水主管接続用短管部、１３…基礎側プレート部、１４…排水主管接続側部材、１５…排水管接続用短管部、１６…建物側伸縮プレート部、１７…排水管接続側部材、１８…バンド、１９…エルボ、２０…バンド、２１…継手管、２２…ゴム製接続管、２３…バンド、２４…ガイド面、２５…基礎、２６…排水主管、２７…排水管、２８…バンド
【図１】
2006188890.tif 000003
【図２】
2006188890.tif 000004
【図３】
2006188890.tif 000005
【図４】
2006188890.tif 000006